(57)【要約】【課題】  基板と封止部材とで形成される気密空間に配設される吸着部材が積層体の発光部と接触することを抑制し、また、パネルの薄型化が可能な有機ＥＬパネル及びその製造方法を提供する。【解決手段】  有機ＥＬパネルは、ライン状に形成された複数の第一電極３と第一電極３上に形成される有機層６と第一電極３に対して交差するように形成される複数の隔壁部８と、隔壁部８によって複数のライン状に分断形成される第二電極７と、を有する積層体３を有する。積層体３が形成される基板２を有する。積層体３を気密的に覆うように基板２に配置される封止部材９と、粉体状の吸着剤と所定量の液体と磁性体とを混合してなり磁力線によって封止部材９の積層体３との対向面に積層体３の非発光部と対向するように配置される磁性磁性吸着部材１０を備えてなる。【選択図】  図２
2008300101.tif 000002
【特許請求の範囲】
【請求項１】
ライン状に形成された複数の第一電極と前記第一電極上に形成される有機層と前記第一電極に対して交差するように形成される複数の隔壁部と、前記隔壁部によって複数のライン状に分断形成される第二電極と、を有する積層体と、前記積層体が形成される基板と、前記積層体を気密的に覆うように前記基板に配置される封止部材と、粉体状の吸着剤と所定量の液体と磁性体とを混合してなり磁力線によって前記封止部材の前記積層体との対向面に前記積層体の非発光部と対向するように配置される磁性吸着部材を備えてなることを特徴とする有機ＥＬパネル。
【請求項２】
前記磁性吸着部材は、前記非発光部として前記隔壁部と対向するように配置されることを特徴とする請求項１に記載の有機ＥＬパネル。
【請求項３】
前記磁性吸着部材は、前記隔壁部と接触することを特徴とする請求項２に記載の有機ＥＬパネル。
【請求項４】
ライン状に形成された複数の第一電極と前記第一電極上に形成される有機層と前記第一電極に対して交差するように形成される複数の隔壁部と、前記隔壁部によって複数のライン状に分断形成される第二電極と、を有する積層体と、前記積層体が形成される基板と、前記積層体を気密的に覆うように前記基板に配置される封止部材と、を備えてなる有機ＥＬパネルの製造方法であって、
粉体状の吸着剤と所定量の液体と磁性体とを混合してなる磁性吸着部材を前記封止部材の前記積層体との対向面に塗布し、また、前記隔壁部と対向するように磁力線を形成して前記磁性吸着部材が前記積層体の非発光部と対向するように配置する吸着部材配置工程と、
前記封止部材を前記積層体を気密的に覆うように前記基板に重ね合わせる封止部材配置工程と、を含むことを特徴とする有機ＥＬパネルの製造方法。
【請求項５】
前記吸着部材配置工程において、前記磁性吸着部材を前記非発光部として前記隔壁部と対向するように配置することを特徴とする請求項４に記載の有機ＥＬパネルの製造方法。
【請求項６】
前記封止部材配置工程において、前記磁性吸着部材を前記隔壁部と接触させることを特徴とする請求項５に記載の有機ＥＬパネルの製造方法。
【発明の詳細な説明】
【技術分野】
【０００１】
本発明は、第一電極と第二電極の間に少なくとも発光層を有する有機層を挟持した積層体を基板に形成した有機ＥＬパネル及びその製造方法に関するものであり、特にマトリクス状に配置された発光部を有する有機ＥＬパネル及びその製造方法に関するものである。
【背景技術】
【０００２】
従来より、有機ＥＬパネルが種々提案されており、例えば特許文献１に開示されている。有機ＥＬパネルは、ガラス基板上に積層体を形成したものであり、この積層体は、透明電極（第一電極），絶縁層，有機層，背面電極（第二電極）を有する。前記有機層は少なくとも発光層を有し、例えば、正孔注入輸送層，発光層，電子輸送層及び電子注入層からなるものであり、前記透明電極と前記背面電極に挟持されている。前記透明電極，前記有機層及び前記背面電極の積層個所が発光部となる有機ＥＬ素子を形成する。前記積層体は封止部材によって気密的に覆われており、この封止部材は前記ガラス基板に接着されている。
【０００３】
また、気密空間内の水分が前記有機層に侵入してダークスポットが発生することを抑制するべく、前記封止部材の前記積層体との対向面に、水分を吸着するとともに固体状態を維持する吸着部材を配置する方法が知られている（例えば特許文献２参照）。
【０００４】
また、本願出願人は、前述の吸着部材が前記積層体と接触することを避けるために前記吸着部材と前記積層体との間に間隔（通常０．５〜１．０ｍｍ）を要し有機ＥＬパネルの薄型化を行う際に問題となる点に着目し、前記吸着部材を前記積層体の非発光部上に配置して前記封止部材と接触させる方法を提案している（特許文献３参照）。
【特許文献１】特開平７−１６９５６７号公報
【特許文献２】特開平９−１４８０６６号公報
【特許文献３】特開２００２−２３１４４１号公報
【発明の開示】
【発明が解決しようとする課題】
【０００５】
また、有機ＥＬパネルにおいては、ドットマトリクス型の有機ＥＬパネルが知られている。かかる有機ＥＬパネルは、前記第一電極と前記第二電極とを互いに交差するストライプ状に複数形成することで、前記第一電極と前記第二電極との交差個所を前記発光部とし、前記発光部をマトリクス状に配置するものである。
【０００６】
ドットマトリクス型の有機ＥＬパネルにおいては、各発光部はセグメント型の有機ＥＬパネルに対して微細であり、各発光部間の間隔も狭い。また、表示品質に対する要求から有機ＥＬパネルは更なる微細化が求められているのが現状である。これに対し、前述の特許文献３に開示される方法において、ドットマトリクス型の有機ＥＬパネルについては単に塗布によって前記吸着部材を配置する方法では非発光部も面積が狭いために前記吸着部材を前記非発光部に位置するように設けることが困難であり、さらなる改善の余地があった。
【０００７】
本発明は、この問題に鑑みなされたものであり、微細な発光部が設けられるドットマトリクス型の有機ＥＬパネルであっても、基板と封止部材とで形成される気密空間に配設される吸着部材が積層体の発光部と接触することを抑制し、また、パネルの薄型化が可能な有機ＥＬパネル及びその製造方法を提供するものである。
【課題を解決するための手段】
【０００８】
本発明の有機ＥＬパネルは、前記課題を解決するため、ライン状に形成された複数の第一電極と前記第一電極上に形成される有機層と前記第一電極に対して交差するように形成される複数の隔壁部と、前記隔壁部によって複数のライン状に分断形成される第二電極と、を有する積層体と、前記積層体が形成される基板と、前記積層体を気密的に覆うように前記基板に配置される封止部材と、粉体状の吸着剤と所定量の液体と磁性体とを混合してなり磁力線によって前記封止部材の前記積層体との対向面に前記積層体の非発光部と対向するように配置される磁性吸着部材を備えてなることを特徴とする。
【０００９】
また、前記磁性吸着部材は、前記非発光部として前記隔壁部と対向するように配置されることを特徴とする。
【００１０】
また、前記磁性吸着部材は、前記隔壁部と接触することを特徴とする。
【００１１】
本発明の有機ＥＬパネルの製造方法は、前記課題を解決するために、ライン状に形成された複数の第一電極と前記第一電極上に形成される有機層と前記第一電極に対して交差するように形成される複数の隔壁部と、前記隔壁部によって複数のライン状に分断形成される第二電極と、を有する積層体と、前記積層体が形成される基板と、前記積層体を気密的に覆うように前記基板に配置される封止部材と、を備えてなる有機ＥＬパネルの製造方法であって、粉体状の吸着剤と所定量の液体と磁性体とを混合してなる磁性吸着部材を前記封止部材の前記積層体との対向面に塗布し、また、前記隔壁部と対向するように磁力線を形成して前記磁性吸着部材が前記積層体の非発光部と対向するように配置する吸着部材配置工程と、前記封止部材を前記積層体を気密的に覆うように前記基板に重ね合わせる封止部材配置工程と、を含むことを特徴とする。
【００１２】
また、前記吸着部材配置工程において、前記磁性吸着部材を前記非発光部として前記隔壁部と対向するように配置することを特徴とする。
【００１３】
また、前記封止部材配置工程において、前記磁性吸着部材を前記隔壁部と接触させることを特徴とする。
【発明の効果】
【００１４】
本発明は、第一電極と第二電極の間に少なくとも発光層を有する有機層を挟持した積層体を基板に形成した有機ＥＬパネル及びその製造方法に関するものであり、特にマトリクス状に配置された発光部を有する有機ＥＬパネル及びその製造方法に関するものであって、基板と封止部材とで形成される気密空間に配設される吸着部材が積層体の発光部と接触することを抑制し、また、パネルの薄型化が可能となる。
【発明を実施するための最良の形態】
【００１５】
以下、本発明の一実施形態を添付の図面に基いて説明する。
【００１６】
図１及び図２は本発明の実施形態である有機ＥＬパネル１を示すものである。有機ＥＬパネル１は、ガラス基板２上に積層体３を形成したものである。積層体３は、透明電極（第一電極）４，絶縁層５，有機層６，背面電極７（第二電極），隔壁部８，封止部材９及び磁性吸着部材１０を有している。なお、図１においては封止部材９及び磁性吸着部材１０を省略している。
【００１７】
透明電極４は、例えば酸化インジウム（Ｉｎ２Ｏ３）と酸化スズ（ＳｎＯ２）の混合物であるＩＴＯ（Ｉｎｄｉｕｍ  Ｔｉｎ  Ｏｘｉｄｅ）等の透光性の導電材料からなるものであり、スパッタリング或いは蒸着等の手段によって形成されている。各透明電極４は、ライン状に形成され、図１における縦方向のストライプ状に設けられる。絶縁層５は、ポリイミド系の絶縁材料からなるものであり、フォトリソグラフィー法等の手段によって形成されている。絶縁層５は、有機層６よりも広い領域に形成されており、マトリクス状に配置された発光部に対応する矩形の開口５ａを有している。
【００１８】
有機層６は、少なくとも発光層を有するものであり、例えば、正孔注入輸送層，発光層，電子輸送層及び電子注入層からなるものである。背面電極７は、例えばアルミニウム（Ａｌ）等の低抵抗の金属導電材料からなるものであり、隔壁部８によって複数のラインに分離形成され、透明電極４に直交する方向、すなわち図１における横方向のストライプ状に設けられている。透明電極４と背面電極７とが交差し、有機層６を挟持する個所が各発光画素（有機ＥＬ素子）となる。
【００１９】
隔壁部８は、フェノール系の絶縁材料からなるものであり、フォトリソグラフィー法等の手段によって形成されている。隔壁部８は、絶縁層５上に形成されており、逆テーパ形状になっている。隔壁部８は、透明電極４と直交する方向に平行線状に設けられており、有機層６及び背面電極７をストライプ状に分断する。なお、隔壁部８はその上部に分離された有機層６及び背面電極７の構成材料を有することとなる。
【００２０】
封止部材９は、封止部材７は、例えば平板ガラスをエッチングあるいは切削等の手段によって加工し、凹形状とするものである。封止部材９は、例えば紫外線硬化型の接着剤９ａを介してガラス基板２上に気密的に配設することで、封止部材９とガラス基板２とで積層体３を収納する気密空間を構成する。
【００２１】
磁性吸着部材１０は、封止部材９の積層体３との対向面９ｂに塗布されるものであり、後述する吸着部材配置工程において、磁力線によって対向面９ｂにおいて積層体３の非発光部となる隔壁部８と対向する位置にストライプ状に配置されるものである。なお、磁性吸着部材１０は、クリーム状あるいはペースト状に形成されている。磁性吸着部材１０は、化学的あるいは物理的に水分を吸着する吸湿作用を有し、例えば活性アルミナ，モレキュラシーブス，酸化カルシウムあるいは酸化バリウム等の無機材料からなる粉体状の吸着剤と、フッ素系オイル等からなる所定量の不活性液体（液体）と磁性体とを混合させてなるものである。また、磁性吸着部材１０は、後述する封止部材９をガラス基板２と重ね合わせる封止部材配置工程において、隔壁部８と接触するように設けられる。
【００２２】
次に、図３から図５を用いて有機ＥＬパネル１の製造方法について説明する。
【００２３】
まず、ガラス基板２上には、周知の透明電極形成工程，絶縁層形成工程，隔壁部形成工程，有機層形成工程及び背面電極形成工程を経て積層体３が形成される（図３（ａ）参照）。
【００２４】
また、凹形状に成形された封止部材９の積層体３との対向面９ｂに、磁性吸着部材１０が配設される（吸着部材配置工程、図３（ｂ）参照）。この吸着部材配置工程においては、図４に示すように、例えば永久磁石や電磁石等によって封止部材９の対向面９ｂの隔壁部８と対向する位置に合わせて磁力線Ｍを張り、磁性吸着部材１０をスプレー法，印刷法あるいはディペンス法等の手段によって対向面９ｂに塗布する。このとき、磁力線Ｍに前記磁性体を含有する磁性吸着部材１０が引き寄せられ、磁性吸着部材１０は磁力線Ｍと対向する位置にのみ形成される。その後、磁力線Ｍを外しても磁性吸着部材１０はその形状を維持する。したがって、磁性吸着部材１０は、図５に示すように、封止部材９の対向面９ｂにおいて隔壁部８と対向する個所にのみ配置されることとなる。
【００２５】
磁性吸着部材１０を封止部材９に配置した後、封止部材９を、接着剤９ａを介してガラス基板２と重ね合わせ、さらに接着剤９ａに紫外線を照射して接着剤９ａを硬化させ、積層体３を気密的に覆う封止空間を形成する（図３（ｃ）参照）。また、封止部材９をガラス基板２に重ね合わせる際に、封止部材９にガラス基板２の方向に対して所定の圧力を加えることによって、封止部材９に配設される磁性吸着部材１０を隔壁部８の表面と接触させる。
【００２６】
以上の工程によって有機ＥＬパネル１を得ることができる。
【００２７】
本発明の実施形態によれば、前記磁性体を含有した磁性吸着部材１０を封止部材９の対向面９ｂに配置し、その配置工程において磁力線Ｍを任意の個所に形成することによって単純な塗布方法よりもさらに高精細な形状で磁性吸着部材１０を配置することができる。したがって、微細な発光部が設けられるドットマトリクス型の有機ＥＬパネル１であっても、ガラス基板２と封止部材９とで形成される気密空間に配設される磁性吸着部材１０を積層体３の非発光部（隔壁部８）に対向する位置にのみ配置可能となり、磁性吸着部材１０が発光部と接触することを抑制することができる。したがって、積層体３と封止部材９との間に間隔を設ける必要がなく、パネルの薄型化が可能となる。また、磁性吸着部材１０を隔壁部８と接触させることで、封止部材９の撓みに対してストッパーの役割を果たすことができ、パネルの破損を抑制することができる。
【図面の簡単な説明】
【００２８】
【図１】本発明の実施形態である有機ＥＬパネルを示す正面図。
【図２】同上有機ＥＬパネルを示す断面図。
【図３】同上有機ＥＬパネルの製造方法を示す図。
【図４】同上有機ＥＬパネルの製造方法における吸着部材配置工程を説明するための図。
【図５】同上有機ＥＬパネルの封止部材を示す図。
【符号の説明】
【００２９】
１    有機ＥＬパネル
２    ガラス基板（基板）
３    積層体
４    透明電極（第一電極）
５    絶縁層
６    有機層
７    背面電極（第二電極）
８    隔壁部
９    封止部材
１０  磁性吸着部材
Ｍ    磁力線
【図１】
2008300101.tif 000003
【図２】
2008300101.tif 000004
【図３】
2008300101.tif 000005
【図４】
2008300101.tif 000006
【図５】
2008300101.tif 000007